(57)【特許請求の範囲】
【請求項１】
先端部が前面ガラスで閉じられたランプ笠の内面部に設けられ、ランプから発せられる光を反射させて先端がわに照射させる、投光器における反射板の構造であって、
前記反射板は、周方向において多角形からなると共に、基端がわから先端がわに向けて３段以上に角度を異ならせて開いていく多面体の角錐筒状をしており、かつ、反射板を構成する部品が周方向における少なくとも一カ所においてリベット接合されると共に、基端がわの反射板構成部品と先端がわの反射板構成部品とがリベット接合されて構成されており、
前記反射板構成部品に形成されているリベット通孔は、真円状をしていて、その孔径がリベット軸部の外径よりも０．３ｍｍ以上大きく設定され、ランプ熱による反射板の伸縮変形作用に対して滑りを生じることができるようになされていて、それにより、投光器としての所望の適正な反射特性が保たれるようになされていることを特徴とする投光器における反射板の構造。
【請求項２】
基端がわの第１段部分の高さ寸法と、中間の第２段部分の高さ寸法と、先端がわの第３段部分の高さ寸法との比が１：１〜３：３〜５に設定されると共に、
光の照射中心方向と直交する面に対する第１段部分の各反射面部の角度が１３５°〜１５５°の範囲に設定され、第１段部分の反射面部に対する第２段部分の各反射面部の角度が１６０°〜１８０°の範囲に設定され、第２段部分の反射面部に対する第３段部分の各反射面部の角度が１６０°〜１８０°の範囲に設定されている請求項１に記載の投光器における反射板の構造。
【発明の詳細な説明】
【技術分野】
【０００１】
本発明は、投光器における反射板の構造に関する。
【背景技術】
【０００２】
先端部が前面ガラスで閉じられたランプ笠の内面部に、ランプから発せられる光を反射させて先端がわに照射する、凹半球状の反射面を備えた投光器は、従来より提供されている。
【先行技術文献】
【特許文献】
【０００３】
【特許文献１】特開平１０−２０８５０３号公報
【特許文献２】特開平０８−２７３４０３号公報
【特許文献３】特開平０７−０６５６１９号公報
【特許文献４】特開２００５−３４６９６８号公報
【発明の概要】
【発明が解決しようとする課題】
【０００４】
ところで、上記のような半球状の反射面では、ランプの光が相互干渉をして遠くまで到達しにくいことから、照明しようとする部分に照度不足を生じるという問題があり、そのため、そのような反射面に代えて、
・  周方向において多角形からなると共に、基端がわから先端がわに向けて開いていく、多角の角錐筒状をした反射板、
より具体的な構造で特定すると、
・  周方向において多角形からなると共に、基端がわから先端がわに向けて３段以上に角度を異ならせて開いていく多面体の角錐筒状をした反射板
を、投光器のランプ笠の内面部に設ける反射板として採用することを検討している。
【０００５】
しかしながら、上記のような、多角の角錐筒状、ないし、多面体の角錐筒状をした反射板では、そのような反射板を製作するうえで、反射板を構成する部品ないしは部品同士の接合をリベット接合で行っていくのが合理的であるところ、リベット接合で接合を行った反射板では、これを投光器のランプ笠の内面部に設置すると、投光器のランプ笠内は前面ガラスで閉じられて内部が密閉されていること、及び、投光器の場合、ランプと反射板とが距離的に接近していることから、ランプの熱を反射板がとりわけ強く受け、そのために、反射板が熱伸縮をして歪んで変形を起こしてしまい、所望の反射が行われなくなってしまうという問題を生じる。
【０００６】
また、これまでに高天井用のダウンライトの反射板として提供されている多面体の角錐筒状をした反射板では、光源から光のロスについての配慮に欠けていて、第１段部分と第２段部分の反射面部の面積が第３段部分の反射面部の面積よりも大きすぎ、そのため、第１段部分や第２段部分の反射面部、とりわけ第１段部分の反射面部に反射した光が光源に向いてしまって、光のロスを大きくし、高天井用のダウンライトの反射板としても、ましてや投光器用の反射板としても、照度を上げるのに限界があった。
【０００７】
本発明は、上記のような問題点に鑑み、反射板が、多角の角錐筒状、ないし、多面体の角錐筒状をしたものであって、反射板構成部品ないしは反射板構成部品同士の接合をリベット接合で行って製作したものからなりながら、ランプ熱による熱伸縮に対抗して適正な反射特性を保つことができ、また、光のロスを小さくして照度を上げることができる、投光器における反射板の構造を提供することを課題とする。
【課題を解決するための手段】
【０００８】
上記の課題は、先端部が前面ガラスで閉じられたランプ笠の内面部に設けられ、ランプから発せられる光を反射させて先端がわに照射させる、投光器における反射板の構造であって、
前記反射板は、周方向において多角形からなると共に、基端がわから先端がわに向けて開いていく、多角の角錐筒状をしており、かつ、反射板を構成する部品が周方向における少なくとも一カ所においてリベット接合されると共に、基端がわの反射板構成部品と先端がわの反射板構成部品とがリベット接合されて構成されており、
前記反射板構成部品に形成されているリベット通孔は、真円状をしていて、その孔径がリベット軸部の外径よりも０．３ｍｍ以上大きく設定され、ランプ熱による反射板の伸縮変形作用に対して滑りを生じることができるようになされていることを特徴とする投光器における反射板の構造によって解決される（第１発明）。
【０００９】
この構造では、反射板が、周方向において多角形からなると共に、基端がわから先端がわに向けて開いていく、多角の角錐筒状をしたものであって、反射板構成部品ないしは反射板構成部品同士の接合をリベット接合で行って製作したものからなりながら、反射板構成部品に形成されているリベット通孔は、真円状をしていて、その孔径がリベット軸部の外径よりも０．３ｍｍ以上大きく設定され、ランプ熱による反射板の伸縮変形作用に対して滑りを生じることができるようになされているので、そのような滑りによって、投光器において、その反射板が、ランプ熱による熱伸縮に対抗して適正な反射特性を保つことができる。
【００１０】
しかも、リベット通孔は、真円状をしていることにより、面に沿うあらゆる方向に滑ることが可能で、滑りの方向を考慮して形成する必要がなく、リベット通孔の形成を容易にすることができる。
【００１１】
第１発明において、前記反射板が、基端がわから先端がわに向けて３段以上に角度を異ならせて開いていく多面体の角錐筒状をしているとよい（第２発明）。
【００１２】
この場合は、反射板が、そのような多面体の角錐筒状をしたものであって、反射板構成部品ないしは反射板構成部品同士の接合をリベット接合で行って製作したものからなりながら、上記のように、反射板構成部品に形成されているリベット通孔は、真円状をしていて、その孔径がリベット軸部の外径よりも０．３ｍｍ以上大きく設定され、ランプ熱による反射板の伸縮変形作用に対して滑りを生じることができるようになされているので、そのような滑りによって、投光器において、その反射板が、ランプ熱による熱伸縮に対抗して適正な反射特性を保つことができる。
【００１３】
第２発明において、基端がわの第１段部分の高さ寸法と、中間の第２段部分の高さ寸法と、先端がわの第３段部分の高さ寸法との比が１：１〜３：３〜５に設定されると共に、
光の照射中心方向と直交する面に対する第１段部分の各反射面部の角度が１３５°〜１５５°の範囲に設定され、第１段部分の反射面部に対する第２段部分の各反射面部の角度が１６０°〜１８０°の範囲に設定され、第２段部分の反射面部に対する第３段部分の各反射面部の角度が１６０°〜１８０°の範囲に設定されているとよい（第３発明）。
【００１４】
この場合は、基端がわの第１段部分の高さ寸法と、中間の第２段部分の高さ寸法と、先端がわの第３段部分の高さ寸法との比を上記のように設定すると共に、各段の反射面部の角度を上記のように設定することにより、基端がわの第１段部分と第２段部分の反射面部の表面積を効果的に小さくすることができると共に、第１段部分と第２段部分の反射面部に反射した光が光源に向くのを回避することができて光のロスを小さくすることができ、それによって、投光器としての照度を効果的に上げることができる。
【発明の効果】
【００１５】
本発明投光器における反射板の構造は、以上のとおりのものであるから、反射板が、多角の角錐筒状、ないし、多面体の角錐筒状をしたものであって、反射板構成部品ないしは反射板構成部品同士の接合をリベット接合で行って製作したものからなりながら、ランプ熱による熱伸縮に対抗して適正な反射特性を保つことができる。また、光のロスを小さくして照度を上げることができる。
【図面の簡単な説明】
【００１６】
【図１】実施形態を示すもので、図（イ）は投光器の正面図、図（ロ）は反射板の正面図、図（ハ）は投光器内における反射板を示す正面図である。
【図２】図（イ）は第２段部分と第３段部分のリベット接合部を示す正面図、図（ロ）は第２段部分の周方向におけるリベット接合部を示す正面図、図（ハ）はリベット接合部の断面正面図、図（ニ）は同断面平面図である。
【図３】図（イ）及び図（ロ）は、反射板の拡大した正面図、平面図である。
【図４】図（イ）は反射板の同断面正面図、図（ロ）は反射板の同内面図である。
【発明を実施するための形態】
【００１７】
次に、本発明の実施形態を図面に基づいて説明する。
【００１８】
図１〜図４に示す実施形態の構造において、１は投光器、２は反射板であり、反射板２は、内面が鏡面からなっていて、図１（イ）（ロ）に示すように、投光器１において、先端部が前面ガラス３で閉じられたランプ笠４の内面部に設けられ、ランプ５から発せられる光を反射させて前面ガラス３を通じて先端がわに照射させるもので、図４（イ）（ロ）に示すように、周方向において多角形、本実施形態の場合は１６角形からなると共に、基端がわから先端がわに向けて３段に角度を異ならせて開いていく、多角の角錐筒状、より具体的に特定した表現をするなら、多面体の角錐筒状をしたものからなっている。
【００１９】
そして、本実施形態では、反射板２は、図３（イ）（ロ）に示すように、基端がわの第１段部分を構成する部品６と、中間の第２段部分を構成する部品７と、先端がわの第３段部分を構成する部品８と、基端側の形状保持用の部品９とを備えており、
第１〜第３段部分の各構成部品６，７，８はそれぞれ、周方向において多段に屈折されると共に、図３（イ）（ロ）及び図２（ロ）に示すように、周方向における一カ所において形成された重なり部分６ａ，７ａ，８ａにリベット１０…が打たれることで製作されたものであり、
反射板２は、図３（イ）（ロ）及び図２（イ）に示すように、そのような第１段部分構成部品６の基端部と形状保持用部品９との間に形成された重なり部分９ｂ…にリベット１０…が打たれると共に、第１段部分構成部品６と第２段部分構成部品７との間に形成された重なり部分６ｂ…にリベット１０が打たれ、かつ、第２段部分構成部品７と第３段部分構成部品８との間に形成された重なり部分７ｂ…にリベット１０が打たれることで製作され、構成されている。
【００２０】
そして、各反射板構成部品６，７，８，９に形成されているリベット通孔１１は、図２（ハ）（ニ）に示すように、真円状をしていて、その孔径ｄ１がリベット軸部の外径ｄ２よりも０．３ｍｍ以上大きく設定されていて、その径差と、各リベット１０の締まり具合との兼ね合いにより、ランプ熱による反射板の伸縮変形作用に対して滑りを生じることができるようになされている。
【００２１】
また、上記の反射板２において、基端がわの第１段部分６の高さ寸法ｈ１と、中間の第２段部分７の高さ寸法ｈ２と、先端がわの第３段部分８の高さ寸法ｈ３との比は１：１〜３：３〜５に設定されると共に、光の照射中心方向と直交する面に対する第１段部分６の各反射面部の角度θ１が１３５°〜１５５°の範囲に設定され、第１段部分６の反射面部に対する第２段部分７の各反射面部の角度θ２が１６０°〜１８０°の範囲に設定され、第２段部分７の反射面部に対する第３段部分８の各反射面部の角度θ３が１６０°〜１８０°の範囲に設定されている。
【００２２】
上記の構造によれば、反射板２が、周方向において多角形からなると共に、基端がわから先端がわに向けて開いていく、多角の角錐筒状、特に、本実施形態では、基端がわから先端がわに向けて３段に角度を異ならせて開いていく多面体の角錐筒状をしたものからなり、これを構成する反射板構成部品６，７，８ないし反射板構成部品６，７，８，９同士の接合をリベット１０…で行って製作したものでありながら、各反射板構成部品６，７，８，９に形成されているリベット通孔１１…は、真円状をしていて、その孔径ｄ１がリベット１０の軸部の外径ｄ２よりも０．３ｍｍ以上大きく設定され、ランプ５の熱による反射板２の伸縮変形作用に対して滑りを生じることができるようになされているので、そのような滑りによって、投光器１において、その反射板２が、ランプ５の熱による熱伸縮に対抗して適正な反射特性を保つことができる。
【００２３】
しかも、各リベット通孔１１は、真円状をしていることにより、面に沿うあらゆる方向に滑ることが可能で、滑りの方向を考慮して形成する必要がなく、リベット通孔の形成を容易にすることができる。
【００２４】
加えて、本実施形態では、重なり状にされる各板部に形成されるリベット通孔１１，１１は同じサイズに形成されており、それによっても、リベット通孔１１，１１の形成を容易にすることができる。
【００２５】
そして、本実施形態では、基端がわの第１段部分６の高さ寸法ｈ１と、中間の第２段部分７の高さ寸法ｈ２と、先端がわの第３段部分８の高さ寸法ｈ３との比を上記のように設定すると共に、各段の反射面部の角度θ１，θ２，θ３を上記のように設定しているので、基端がわの第１段部分６と第２段部分７の反射面部の表面積を効果的に小さくすることができると共に、第１段部分６と第２段部分７の反射面部に反射した光が光源に向くのを回避することができて光のロスを小さくすることができ、それによって、投光器１としての照度を効果的に上げることができる。
【符号の説明】
【００２６】
１…投光器
２…反射板
３…前面ガラス
４…ランプ笠
５…ランプ
６…第１段部分（反射板構成部品）
７…第２段部分（反射板構成部品）
８…第３段部分（反射板構成部品）
１０…リベット
１１…リベット通孔
【図１】
0005580960.tif 000002
【図２】
0005580960.tif 000003
【図３】
0005580960.tif 000004
【図４】
0005580960.tif 000005